(57)【要約】【課題】配線スペースが小さく、全体表示としての画質を向上させ、かつ、調整作業が短時間で行える表示装置を提供する。【解決手段】互いに隣接して配置された複数の表示パネル５〜８と、各表示パネル５〜８の表示を制御する各々の制御部１０〜１３と、入力された画像データと同一の画像データを各制御部１０〜１３へ分配する分配部３とを備え、各表示パネルの位置に従って、各制御部が分割し、選択した分割画像データにより、各表示パネルに表示させる事により一つの前記表示パネルより大きい画像を表示させる。望ましくは、入力部１４を設け、前記入力部１４に第１入力又は第２入力がなされると、各制御部１０〜１３は各表示パネル５〜８に対し、入力された画像データを分割せずに出力し、前記画像データによる同一画像を表示させる。【選択図】        図１
2004233830.tif 000002
【特許請求の範囲】
【請求項１】
互いに隣接して配置された複数の表示パネルと、各表示パネルの表示を制御する各々の制御部と、入力された画像データと同一の画像データを各制御部へ分配する分配部とを備え、各表示パネルの位置に従って、各制御部が分割し、選択した分割画像データにより、各表示パネルに表示させる事により一つの前記表示パネルより大きい画像を表示させる事を特徴とする表示装置。
【請求項２】
入力部を設け、前記入力部に第１入力又は第２入力がなされると、各制御部は各表示パネルに対し、入力された画像データを分割せずに出力し、前記画像データによる同一画像を表示させる事を特徴とする請求項１の表示装置。
【請求項３】
前記第１入力がなされ、前記同一画像の表示後に、画質調整入力がなされると、特定の制御部は特定の表示パネルに対し、前記画質調整入力に従う画質で表示させ、他の制御部は他の表示パネルに対し、前記画質と同一の画質で表示させる事を特徴とする請求項２の表示装置。
【請求項４】
前記第２入力がなされ、前記同一画像の表示後に、画質調整入力がなされと、特定の制御部は特定の表示パネルに対し、前記画質調整入力に従う画質で表示させ、他の制御部は他の表示パネルに対し、画質を変化させない事を特徴とする請求項２の表示装置。
【請求項５】
特定の表示パネルが選択され、画質調整入力がなされると、選択された前記表示パネルに対し、前記画質調整入力に従う画質で表示させる事を特徴とする請求項４の表示装置。
【請求項６】
前記画質調整入力に従う画質で表示させた後に、各制御部は入力された前記画像データを分割し、各表示パネルに出力し、分割された前記画像データによる画像を表示させる事を特徴とする請求項３から請求項５のいずれかに記載の表示装置。
【発明の詳細な説明】
【０００１】
【発明の属する技術分野】
本発明は表示装置に関する。
【０００２】
【従来の技術】
従来、複数の表示パネルを配置させた、大型の表示面を有する表示装置が提案されている（例えば、特許文献１を参照）。上記装置では、各表示パネル毎に、各制御部が設けられ、各制御部に各画質調整入力部が設けられている。
【０００３】
【特許文献１】
特開平９−３１９３３７号公報
【０００４】
【発明が解決しようとする課題】
上記装置では、画像データの受信部から各制御部へ、並列接続された配線を介して、画像データが出力されている。そのため、上記配線が占めるスペースが大きくなる、第１の欠点がある。
【０００５】
更に、上記装置では、各表示パネルに分割された画像を表示させた後に、各表示パネルの画質調整（コントラスト、輝度、色相などの調整）を行っていた。この様に、異なる画像に従い、各々、画質調整を行うので、全体として表示させた場合、画質（画像品質）が良くない第２の欠点がある。
【０００６】
また、各表示パネル毎に画質調整を行うので、調整作業に手間がかかる第３の欠点がある。故に、本発明はこの様な従来の欠点を考慮して、配線スペースが小さく、全体表示としての画質を向上させ、かつ、調整作業が短時間で行える表示装置を提供する。
【０００７】
【課題を解決するための手段】
上記課題を解決するために、請求項１の本発明では、互いに隣接して配置された複数の表示パネルと、各表示パネルの表示を制御する各々の制御部と、入力された画像データと同一の画像データを各制御部へ分配する分配部とを備え、各表示パネルの位置に従って、各制御部が分割し、選択した分割画像データにより、各表示パネルに表示させる事により、一つの前記表示パネルより大きい画像を表示させる。
【０００８】
請求項２の本発明では、入力部を設け、前記入力部に第１入力又は第２入力がなされると、各制御部は各表示パネルに対し、入力された画像データを分割せずに出力し、前記画像データによる同一画像を表示させる。
【０００９】
請求項３の本発明では、前記第１入力がなされ、前記同一画像の表示後に、画質調整入力がなされると、特定の制御部は特定の表示パネルに対し、前記画質調整入力に従う画質で表示させ、他の制御部は他の表示パネルに対し、前記画質と同一の画質で表示させる。
【００１０】
請求項４の本発明では、前記第２入力がなされ、前記同一画像の表示後に、画質調整入力がなされと、特定の制御部は特定の表示パネルに対し、前記画質調整入力に従う画質で表示させ、他の制御部は他の表示パネルに対し、画質を変化させない。
【００１１】
請求項５の本発明では、特定の表示パネルが選択され、画質調整入力がなされると、選択された前記表示パネルに対し、前記画質調整入力に従う画質で表示させる。
【００１２】
請求項６の本発明では、前記画質調整入力に従う画質で表示させた後に、各制御部は入力された前記画像データを分割し、各表示パネルに出力し、分割された前記画像データによる画像を表示させる。
【００１３】
【発明の実施の形態】
以下に、図１のブロック図に従い、本発明の実施の形態に係る表示装置１を説明する。図１において、受信部２は、画像データが入力されるものである。分配部３は、入力された画像データと同一の画像データを、各制御部（後述）へ分配するものである。分配部３の入力側は、受信部２の出力側に接続されている。制御手段４は例えばＣＰＵ等から成り、各部品を制御するものである。
【００１４】
各表示パネル５，６，７，８は例えばＬＣＤ（液晶表示装置）等から成り、互いに隣接して配置されている。例えば、表示パネル５を左上に、表示パネル６を右上に、表示パネル７を左下に、表示パネル８を右下に配置する事により、表示パネル９は、あたかも、１枚の表示パネルの様に見える。
【００１５】
制御部１０は表示パネル５の表示を制御する。制御部１１は表示パネル６の表示を制御する。制御部１２は表示パネル７の表示を制御する。制御部１３は表示パネル８の表示を制御する。この様に、各制御部１０〜１３は、各々、各表示パネル５〜８を制御するものである。
【００１６】
入力部１４は例えば、第１入力キーと、第２入力キーと、終了キーと、表示パネル選択キーと、コントラスト調整部（ボリュウム）と、輝度調整部（ボリュウム）と、色相調整部（ボリュウム）など（いずれも図示せず）から構成されている。入力部１４は、制御手段４に接続されている。
【００１７】
ＲＯＭ１５はリードオンリーメモリーであり、制御手段４の制御プログラムを記憶しており、制御手段４に接続されている。ＲＡＭ１６はランダムアクセスメモリであり、制御手段４に接続されている。
【００１８】
この様に、制御部１０，１１，１２，１３の各入力側と、ＲＡＭ１６と、ＲＯＭ１５と、入力部１４は各々、制御手段４に接続されている。以上の部品によりこの表示装置１は構成されている。
【００１９】
次に、図１ないし図４に従い、この表示装置１の動作を説明する。図２は、表装置１の主要動作を示すフローチャート、図３は同一画像の表示例、図４は分割画像の表示例である。
【００２０】
最初に、作業者は、この表示装置１の電源プラグを電源コンセント（共に図示せず）に挿入し、表示装置１のスタートスイッチ（図示せず）を押したものとする。
【００２１】
この時、制御手段４はモード１（分割表示）に設定する（図２のＳ１を参照）。即ち、分配部３は、受信部２から入力された画像データと同一の画像データを各制御部１０，１１，１２，１３へ分配する。
【００２２】
この時、制御手段４は各制御部１０〜１３に対し、モード１を示す信号を出力する。その結果、各制御部１０〜１３は、入力された画像データを４個に分割する。即ち、各表示パネル５〜８の位置に従って、各制御部１０〜１３が分割し、選択した画像データは、各表示パネル５〜８に出力され、表示される。
【００２３】
上記内容を具体的に示すと、制御部１０は表示パネル５に対し、分割された画像データの内、左上の部分の画像データを出力する。その結果、表示パネル５は左上の画像データに従う分割画像Ｂを表示する（図４参照）。
【００２４】
同様に、制御部１１は表示パネル６に対し、分割された画像データの内、右上の部分の画像データを出力する。その結果、表示パネル６は、右上の画像データに従う分割画像Ｃを表示する（図４参照）。
【００２５】
制御部１２は表示パネル７に対し、分割された画像データの内、左下の部分の画像データを出力する。その結果、表示パネル７は、左下の画像データに従う分割画像Ｄを表示する（図４参照）。
【００２６】
制御部１３は表示パネル８に対し、分割された画像データの内、右下の部分の画像データを出力する。その結果、表示パネル８は、右下の画像データに従う分割画像Ｅを表示する（図４参照）。
【００２７】
この様に、上記ステップＳ１において、各制御部１０，１１，１２，１３により分割された画像データを、各表示パネル５，６，７，８に表示させる事により一つの表示パネル５〜８の表示画像より大きい画像を表示できる。
【００２８】
次に、作業者は例えば、入力部１４を構成する第１入力キーを押していたものとする。これを「第１入力がなされた」と表現する。第１入力キーは、全体的な画質調整を選択するたものキーである。その結果、制御手段４は、「全体的な画質調整か否か」の判定を肯定する（図２のＳ２を参照）。
【００２９】
次に、制御手段４は、モード２（同一画像表示）に設定する（図２のＳ３を参照）。即ち、分配部３は、受信部２から入力された画像データと同一の画像データを各制御部１０，１１，１２，１３へ分配する。
【００３０】
この時、制御手段４は、各制御部１０〜１３に対し、モード２を示す信号を出力する。その結果、各制御部１０〜１３は、各表示パネル５〜８に対し、入力された画像データを分割せずに、そのまま出力する。
【００３１】
そして、制御部１０，１１，１２，１３は、各表示パネル５，６，７，８に対し、上記分割されない画像データを出力する。その結果、各表示パネル５，６，７，８は、入力され、分割されない画像データに従う同一画像Ａを表示する（図３参照）。
【００３２】
上記動作の特徴をまとめる。入力部１４において、第１入力がなされると、各制御部１０〜１３は各表示パネル５〜８に対し、入力された画像データを分割せずに出力し、その画像データによる同一画像Ａを表示させる。
【００３３】
次に、制御手段４は、画質調整処理１を行う（図２のＳ４を参照）。例えば、この時、作業者は入力部１４において、画質調整入力を行うものとする。
【００３４】
即ち、作業者は、入力部１４を構成するコントラスト調整部と、輝度調整部と色相調整部を各々、調整するものとする。
【００３５】
この時、制御手段４は、上記画質調整入力を、特定の制御部（例えば、制御部１０）のみに出力させ、制御部１１，１２，１３に出力させない。作業者は特定の表示パネル（例えば、表示パネル５）の画像Ａのみを見ながら、画質が最良の状態になる様に、コントラストと、輝度と、色相を各々、調整する。その結果、表示パネル５の画質は最良の状態になったとする。この時、作業者は例えば、入力部１４を構成する終了（確定）キーを押したものとする。
【００３６】
次に制御手段４は、他の制御部１１，１２，１３に対し、制御部１０に入力された画質の設定値（最良のもの）を出力する。または、上書きしても良い。その結果として、他の表示パネル６，７，８は、表示パネル５と同じく、最良の状態となる。
【００３７】
上記制御の特徴を以下に、まとめる。第１入力がなされ、同一画像Ａの表示（図３参照）後、画質調整入力がなされると、特定の制御部（例えば制御部１０）は特定の表示パネル（例えば、表示パネル５）に対し、上記画質調整入力に従う画質で表示させる。そして、他の制御部（例えば制御部１１，１２，１３）は、他の表示パネル（例えば、表示パネル６，７，８）に対し、上記表示パネル５の画質と同一の画質で表示させる。
【００３８】
上記制御により、作業者は、特定の表示パネル５のみの画質を調整すれば良く、他の表示パネル６，７，８は自動的に、画質調整されるので、画質調整の作業時間は、従来の約１／４倍に圧縮される。
【００３９】
次に制御手段４は、モード１に設定する（図２のＳ５を参照）。即ち、制御手段４は、各制御部１０〜１３に対し、モード１を示す信号を出力する。その結果、各制御部１０〜１３は、入力された画像データを分割し、各表示パネル５〜８に出力する。そして、各表示パネル５〜８は、分割された画像データによる画像を表示する。
【００４０】
上記特徴をまとまる。画質調整入力に従う画質で表示させた（図２のＳ４を参照）後に、各制御部１０〜１３は、入力された画像データを分割し、各表示パネル５〜８に出力する。そして、各表示パネル５〜８は、分割された画像データによる画像を表示する。
【００４１】
また、作業者は上記作業を終了し、表示装置１をユーザ（使用者）の所へ運搬し、ユーザは表示装置１を使用する。ユーザが電源を接続し、スタートスイッチを押すと、表示装置１は、画質調整処理１がなされ、かつ、モード１に設定された状態で動作する。
【００４２】
次に、第１入力がなされずに、第２入力がなされた場合を説明する。作業者は例えば、第１入力キーを押さずに、入力部１４を構成する第２入力キーを押し（これを「第２入力がなされた」と表現する）、スタートキーを押した、ものとする。この第２入力キーは、パネル毎の画質調整を選択するためのキーである。
【００４３】
また、この時、作業者は、入力部１４を構成する表示パネル選択キーにおいて例えば、表示パネル５の選択キーを押していたものとする。
【００４４】
そして制御手段４は、モード１に設定する（図２のＳ１を参照）。次に制御手段４は、ステップＳ２の判定を否定し、「パネル毎の画質調整か否か」の判定を肯定する（図２のＳ６を参照）。
【００４５】
次に制御手段４は、画質調整する表示パネルを選択する（図２のＳ７を参照）。即ち、制御手段４は、選択された表示パネル５を制御する制御部１０のみを選択する。
【００４６】
そして制御手段４は、モード２に設定する（図２のＳ８を参照）。即ち、入力部１４に第２入力がなされると、各制御部１０〜１３は各表示パネル５〜８に対し入力された画像データを分割せずに出力し、画像データによる同一画像Ａ（図３参照）を表示させる様に、制御手段４は制御する。
【００４７】
次に制御手段４は、画質調整処理２を行う（図２のＳ９を参照）。この時、作業者は、特定の表示パネル５の画像Ａを見ながら、画質が最良の状態になる様に、コントラスト調整部と、輝度調整部と、色相調整部を各々、調整する。その後に作業者は、入力部１４の終了キーを押す。
【００４８】
その結果、制御手段４は、上記画質調整入力を、特定の制御部１０のみに出力させ、制御部１１，１２，１３に出力させない。
【００４９】
上記制御の特徴をまとめる。第２入力がなされ（Ｓ６参照）、同一画像Ａの表示（Ｓ８参照）後に、画質調整入力がなされると（Ｓ９参照）、特定の制御部１０は特定の表示パネル５に対し、上記画質調整入力に従う画質で表示させる（Ｓ９参照）。そして、他の制御部１１，１２，１３は、他の表示パネル６，７，８に対し画質を変化させない。
【００５０】
また、特定の表示パネル５が選択されると（Ｓ７参照）、画質調整入力がなされると、選択された表示パネル５に対し、画質調整入力に従う画質で表示させる（Ｓ９参照）。
【００５１】
次に制御手段４は、モード１に設定する（Ｓ１０参照）。即ち、上記画質調整入力に従う画質で表示させた（Ｓ９参照）後に、各制御部１０〜１３は各表示パネル５〜８に対して、入力された画像データを分割し、各表示パネル５〜８に出力し分割された画像データによる分割画像Ｂ，Ｃ，Ｄ，Ｅを表示させる（図４を参照）。
【００５２】
次に、第１入力がなされず、第２入力がなされ、表示パネル６の選択キーが押され、スタートキーが押された場合を説明する。この時、上記説明と同様に、制御手段４は、Ｓ１とＳ２とＳ６とＳ７とＳ８とＳ９とＳ１０の動作を行う。即ち第２入力がなされ、同一画像Ａの表示後に、画質調整入力がなされると、特定の制御部１１は特定の表示パネル６に対し、上記画質調整入力に従う画質で表示させる。そして、他の制御部１０，１２，１３は、他の表示パネル５，７，８に対し、画質を変化させない、構成としている。
【００５３】
また、特定の表示パネル６が選択され（Ｓ７参照）、画質調整入力がなされると選択された表示パネル６に対し、上記画質調整入力に従う画質で表示させる、構成としている。
【００５４】
次に、第１入力がなされず、第２入力がなされ、表示パネル７の選択キーが押され、スタートキーが押された場合を説明する。この時、上記説明と同様に、制御手段４は、Ｓ１とＳ２とＳ６とＳ７とＳ８とＳ９とＳ１０の動作を行う。即ち第２入力がなされ、同一画像Ａの表示後に、画質調整入力がなされると、特定の制御部１２は特定の表示パネル７に対し、上記画質調整入力に従う画質で表示させる。そして、他の制御部１０，１１，１３は、他の表示パネル５，６，８に対し画質を変化させない、構成としている。
【００５５】
また、特定の表示パネル７が選択され（Ｓ７参照）、画質調整入力がなされると選択された表示パネル７に対し、上記画質調整入力に従う画質で表示させる、構成としている。
【００５６】
次に、第１入力がなされず、第２入力がなされ、表示パネル８の選択キーが押され、スタートキーが押された場合を説明する。この時、上記説明と同様に、制御手段４は、Ｓ１とＳ２とＳ６とＳ７とＳ８とＳ９とＳ１０の動作を行う。即ち第２入力がなされ、同一画像Ａの表示後に、画質調整入力がなされると、特定の制御部１３は特定の表示パネル８に対し、上記画質調整入力に従う画質で表示させる。そして、他の制御部１０，１１，１２は、他の表示パネル５，６，７に対し画質を変化させない、構成としている。
【００５７】
また、特定の表示パネル８が選択され（Ｓ７参照）、画質調整入力がなされると選択された表示パネル８に対し、上記画質調整入力に従う画質で表示させる、構成としている。この様にして、各表示パネル５，６，７，８毎の画質調整が行われる。
【００５８】
【発明の効果】
請求項１の本発明では、互いに隣接して配置された複数の表示パネルと、各表示パネルの表示を制御する各々の制御部と、入力された画像データと同一の画像データを各制御部へ分配する分配部とを備え、各表示パネル５〜８の位置に従って、各制御部１０〜１３が分割し、選択した分割画像データにより、各表示パネルに表示させる事により、一つの前記表示パネルより大きい画像を表示させる。この様に、入力された画像データと同一の画像データを各制御部へ分配する分配部を設けたので、従来の様に、大きい配線スペースが不要となる。また、複数の表示パネルを隣接して表示させるので、大型の表示面が得られる。
【００５９】
請求項２の本発明では、入力部を設け、前記入力部に第１入力又は第２入力がなされると、各制御部は各表示パネルに対し、入力された画像データを分割せずに出力し、前記画像データによる同一画像を表示させる。この様に、各表示パネルの画質調整時に、各表示パネルに同一の画像を表示させる事により、各画質調整が同一条件の下で行われるため、全体としての画質が向上する。
【００６０】
請求項３の本発明では、第１入力がなされ、同一画像の表示後に、画質調整入力がなされると、特定の制御部は特定の表示パネルに対し、前記画質調整入力に従う画質で表示させ、他の制御部は他の表示パネルに対し、前記画質と同一の画質で表示させる。上記構成により、作業者は、特定の表示パネルのみの画質を調整すれば良く、他の表示パネルは自動的に画質調整されるので、画質調整の作業時間は従来に比べ、格段に短縮される。
【００６１】
請求項４の本発明では、第２入力がなされ、同一画像の表示後に、画質調整入力がなされと、特定の制御部は特定の表示パネルに対し、前記画質調整入力に従う画質で表示させ、他の制御部は他の表示パネルに対し、画質を変化させない。表示パネル毎に表示特性のばらつきが有っても、上記構成により、各表示パネル毎に画質調整ができるので、全体としての画質が均一化される。
【００６２】
請求項５の本発明では、特定の表示パネルが選択され、画質調整入力がなされると、選択された前記表示パネルに対し、前記画質調整入力に従う画質で表示させる。上記構成の様に、作業者が選択した表示パネルを画質調整できるので、作業者は、自分が選択した表示パネルを正確に（他の表示パネルと間違えることなく）調整できる。
【００６３】
請求項６の本発明では、画質調整入力に従う画質で表示させた後に、各制御部は入力された前記画像データを分割し、各表示パネルに出力し、分割された前記画像データによる画像を表示させる。上記構成により、画像データは拡大されて表示でき、大画面表示が可能となる。
【図面の簡単な説明】
【図１】本発明の実施の形態に係る表示装置１のブロック図である。
【図２】上記表示装置１の主要動作を示すフローチャートである。
【図３】上記表示装置１において、同一画像Ａの表示例である。
【図４】上記表示装置１において、分割画像Ｂ，Ｃ，Ｄ，Ｅの表示例である。
【符号の説明】
３  分配部
５，６，７，８  表示パネル
１０，１１，１２，１３  制御部
【図１】
2004233830.tif 000003
【図２】
2004233830.tif 000004
【図３】
2004233830.tif 000005
【図４】
2004233830.tif 000006